(57)【要約】【課題】設備機器の保守点検作業の際に用いられる作業管理タグの作成および回収に要する手間とコストとを削減することができる作業管理システムを提供する。【解決手段】作業管理システム１は、安全処置項目を入力するデータ入力装置２と、安全処置項目データを処理するデータ処理装置３と、安全処置項目データを保存するデータ記憶装置４とを備えている。データ処理装置３には作業管理タグ記録装置５が接続され、作業管理タグ記録装置５は、データ処理装置３からの指示に基づいてブランクタグに安全処置項目データからなる情報を記録して作業管理タグ７を作成する。また、データ処理装置３には作業管理タグ回収装置６が接続され、作業管理タグ回収装置６は、保守作業が終了した後における作業管理タグ７内の情報を読み取るとともに、読み取った作業終了済データをデータ処理装置３に送信する。【選択図】図１
2007286665.tif 000002
【特許請求の範囲】
【請求項１】
設備機器の保守点検作業に関する安全処置項目を入力するデータ入力装置と、
データ入力装置から入力された安全処置項目データを受けるデータ処理装置と、
データ処理装置に接続され、安全処置項目データを保存するデータ記憶装置と、
データ処理装置に接続され、データ処理装置からの指示に基づいてブランクタグに安全処置項目データからなる情報を記録して作業管理タグを作成する作業管理タグ記録装置と、
データ処理装置に接続され、保守点検作業が終了した後の作業管理タグ内の情報を読み取るとともに、読み取った作業終了済データをデータ処理装置に送信する作業管理タグ回収装置と、
を備えたことを特徴とする作業管理システム。
【請求項２】
作業管理タグはリライトカードからなり、作業管理タグ表面に安全処置項目データが記録されることを特徴とする請求項１に記載の作業管理システム。
【請求項３】
作業管理タグは磁気カードからなり、作業管理タグに安全処置項目データが磁気情報として記録されることを特徴とする請求項１に記載の作業管理システム。
【請求項４】
作業管理タグは、ホルダ内に入れられた後に設備機器に取り付けられることを特徴とする請求項１に記載の作業管理システム。
【請求項５】
作業管理タグ回収装置は、作業管理タグをブランクタグとして再生することを特徴とする請求項１に記載の作業管理システム。
【発明の詳細な説明】
【技術分野】
【０００１】
本発明は、プラント等の設備機器を保守点検する際、設備機器に取り付けられる作業管理タグを管理する作業管理システムに関する。
【背景技術】
【０００２】
従来より、作業管理タグは、プラント等における設備機器の運転管理や、保守点検作業の安全管理等を目的として、安全処置を講じた後の設備機器の操作スイッチや電源サーキットブレーカ等に取り付けられる。
【０００３】
例えば、設備機器の作業を管理する作業管理者と、実際に作業を行なう作業担当者が異なる場合における作業管理タグの使用方法について説明する。
まず、作業管理者が対象となる設備機器について、例えば電源をｏｆｆとしたりして、全ての安全処置を行なうとともに、作業管理を行なう。次に、作業管理者が作業担当者に対して作業の許可を与える。この際、作業管理者が全ての安全処置を行なったか否かについて、作業担当者を含めた第三者が目視で容易に確認できるように、作業管理者は設備機器の安全処置を講じた箇所に作業管理タグを取り付けるようになっている。その後、作業担当者が設備機器の保守点検作業等を行ない、保守点検作業の終了後に作業管理者がスイッチを開としたりして安全処置を解除するとともに、設備機器から作業管理タグを取り外す。
【０００４】
このような作業管理タグは、紙製のカードに紐が取り付けられた構造を有し、作業管理タグはこの紐を介して対象機器の対象箇所に取り付けられる。この作業管理タグは、「系統名」、「機器名」、「作業許可番号」、「承認者」、「発行日」、「発行者」、「電話番号」等の情報をブランクタグに手書きで記載して作成される。
【０００５】
例えば、従来より図３（ａ）（ｂ）に示す作業管理タグが用いられている。ここで、図３（ａ）は、従来の作業管理タグ３０の両面を示す図であり、作業管理タグ３０は、表面３０ａと裏面３０ｂとを有している。また、図３（ｂ）は、図３（ａ）と異なる従来の作業管理タグ３１の両面を示す図であり、作業管理タグ３１は、表面３１ａと裏面３１ｂとからなっている。
【０００６】
また、最新のプラントにおいては、計算機等に入力された「系統名」、「機器名」、「作業許可番号」、「承認者」、「発行日」、「発行者」、「電話番号」等の情報を、プリンタ等を利用してシールに印刷し、このシールをブランクタグに貼り付けることにより、手書きによる手間を省力化して作業管理タグを作成する場合もある。この作業管理タグには、紐が取り付けられており、作業管理タグはこの紐を介して対象機器の対象箇所に取り付けられる。
【０００７】
上述した紙製の作業管理タグおよびシールが貼り付けられた作業管理タグは、設備機器の保守点検作業が終了した際に設備機器から取り外される。その後、取り外された作業管理タグは、予め作成した作業管理タグを記録したタグリストと１枚毎に手作業で照合される。その結果、作業管理タグは、回収漏れが無いことが確認された後に破棄される。
【０００８】
一方、作業管理タグの中には、カーボン紙と下紙との二層構造を有しているものもある。このような作業管理タグは、カーボン紙上に手書きで文字を記載すると同一の文字が下紙に転写されるようになっている。文字が記載されたカーボン紙またはカーボン紙の内容と同一の内容が転写された下紙のうち、いずれか１枚を作業管理タグとする。この作業管理タグを設備機器の対象箇所に取り付けるとともに、他の１枚を控えタグとして保管する。保守点検作業終了後に設備機器に取り付けられた作業管理タグを回収し、その回収した作業管理タグと控えタグとを１枚毎に手作業で照合し、作業管理タグの回収漏れが無いことを確認する。確認した後に、作業管理タグおよび控えタグを併せて破棄する。
【特許文献１】特開２００４−１６４３９２号公報
【発明の開示】
【発明が解決しようとする課題】
【０００９】
しかしながら、このような従来の作業管理タグは、紙製のブランクタグ等に１枚毎に手作業で管理情報を記録する必要がある。一つの設備機器の保守点検作業を行なうに際し、安全処置を施す箇所は通常数十箇所乃至数百箇所に及ぶため、数十枚乃至数百枚の作業管理タグを作成する必要がある。また、これら全ての作業管理タグを作成した後、それぞれの作業管理タグを設備機器の対象箇所全てに取付ける必要がある。このため、作業管理タグの作成に関する作業工数が膨大なものとなっている。
【００１０】
また、保守点検作業後は、これらの作業管理タグが１枚の漏れも無く回収される必要があるため、回収された作業管理タグをタグリストや控えタグと１枚毎に手作業で照合する必要があり、この作業に膨大な手間を要している。その一方、これらの作業は手作業で行なわれているため、確認漏れや確認ミスが発生しやすく、管理精度が十分でない場合もある。
【００１１】
さらに、従来の作業管理タグは紙からなり、一度使用すると再利用は不可能であるため、作業管理タグの回収後に全て廃棄されている。このため、作業管理タグの購入費も膨大なものとなっている。
【００１２】
本発明はこのような点を考慮してなされたものであり、作業管理タグを作成する作業および回収してチェックする作業を自動化することにより、作業管理タグの作成および回収に要する手間およびコストを削減することができる作業管理システムを提供することを目的とする。
【課題を解決するための手段】
【００１３】
本発明は、設備機器の保守点検作業に関する安全処置項目を入力するデータ入力装置と、データ入力装置から入力された安全処置項目データを受けるデータ処理装置と、データ処理装置に接続され、安全処置項目データを保存するデータ記憶装置と、データ処理装置に接続され、データ処理装置からの指示に基づいてブランクタグに安全処置項目データからなる情報を記録して作業管理タグを作成する作業管理タグ記録装置と、データ処理装置に接続され、保守点検作業が終了した後の作業管理タグ内の情報を読み取るとともに、読み取った作業終了済データをデータ処理装置に送信する作業管理タグ回収装置と、を備えたことを特徴とする作業管理システムである。
【００１４】
本発明は、作業管理タグはリライトカードからなり、作業管理タグ表面に安全処置項目データが記録されることを特徴とする作業管理システムである。
【００１５】
本発明は、作業管理タグは磁気カードからなり、作業管理タグに安全処置項目データが磁気情報として記録されることを特徴とする作業管理システムである。
【００１６】
本発明は、作業管理タグは、ホルダ内に入れられた後に設備機器に取り付けられることを特徴とする作業管理システムである。
【００１７】
本発明は、作業管理タグ回収装置は、作業管理タグをブランクタグとして再生することを特徴とする作業管理システムである。
【発明の効果】
【００１８】
本発明によれば、設備機器の保守点検作業毎に多数の作業管理タグを作成する作業、および回収した作業管理タグを確認する作業を自動化することができ、作業管理タグの作成および回収に要する手間およびコストを削減することができる。
【００１９】
また、本発明によれば、作業管理タグがリライトカードからなり、作業管理タグ回収装置が作業管理タグをブランクタグとして再生することにより、作業管理タグの再利用が可能となり、作業管理タグの材料費を削減することができる。
【００２０】
さらに、本発明によれば、作業管理タグをホルダ内に入れることにより、作業管理タグの汚損を防止することができる。
【００２１】
さらにまた、本発明によれば、回収した作業管理タグ内の情報は、作業終了済データとして自動的に読み取られ、データ記憶装置に保存されている安全処置項目データとの照合を行なうことにより、未回収の作業管理タグを高い精度で容易に確認することができる。これにより、安全処置の復旧漏れや作業管理タグの回収忘れを防止することができる。
【発明を実施するための最良の形態】
【００２２】
以下、本発明の一実施の形態について、図１および図２（ａ）（ｂ）を参照して説明する。
ここで、図１は、本発明の一実施の形態を示す概略図である。また、図２（ａ）は、本発明の一実施の形態における作業管理タグの一面を示す図であり、図２（ｂ）は、本発明の一実施の形態における作業管理タグの他面を示す図である。
【００２３】
まず、図１により本発明による作業管理システムの概略について説明する。
図１に示すように、作業管理システム１は、設備機器の保守点検作業に関する安全処置項目を入力するキーボード等からなるデータ入力装置２と、データ入力装置２から入力された安全処置項目データを受けるデータ処理装置３と、データ処理装置３に接続され、安全処置項目データを保存するデータ記憶装置４とを備えている。また、データ処理装置３には、作業管理タグ記録装置５と、作業管理タグ回収装置６とが接続されている。このうち、作業管理タグ記録装置５は、データ処理装置３からの指示に基づいてブランクタグに安全処置項目データからなる情報を記録して作業管理タグ７を作成するものである。また、作業管理タグ回収装置６は、保守点検作業が終了した後の作業管理タグ７内の情報を読み取るとともに、読み取った作業終了済データをデータ処理装置３に送信するものである。
【００２４】
ここで、作業管理タグ７は、何度でも書き換え可能なリライトカードからなり、作業管理タグ７表面に安全処置項目データが記録される。すなわち、図２（ａ）に示すように、作業管理タグ７の一面には遠方から視認しやすい大きさの字体を用いて「作業中操作禁止」等の文言が記載されている。一方、図２（ｂ）に示すように、作業管理タグ７の他面にはデータ記載部７ａに「系統名」、「機器名」、「作業許可番号」、「発行者」、「機器状態」、「作業期間」等の安全処置項目データがそれぞれ記載されている。また、作業管理タグ７は磁気カードからなり、安全処置項目データを磁気情報としても記録できるようになっている。なお、図２（ａ）（ｂ）に示す作業管理タグ７のデザイン、安全処置項目データ等の内容は一つの具体例であり、実際の作業管理の運用に合わせて設定される。
【００２５】
ところで、上述の「ブランクタグ」とは、このデータ記載部７ａに安全処置項目データが何も記載されていない状態にあるタグをいい、「作業管理タグ」とは、データ記載部７ａに具体的な安全処置項目が記載されている状態にあるタグをいう。
【００２６】
次に、このような構成からなる本実施の形態の作用について述べる。
まず、設備機器の保守点検作業等を行なう前における本実施の形態の作用について説明する。
図１に示すように、まず、安全処置項目データを、作業管理システム１のデータ入力装置２を用いてデータ処理装置３へ入力する。このようにしてデータ処理装置３へ入力された安全処置項目データは、データ処理装置３からデータ記憶装置４へ送信され、データ記憶装置４に一旦保存される。
【００２７】
次に、データ入力装置２からデータ処理装置３に対して作業管理タグ７の発行要求を行うと、データ記憶装置４に記憶された安全処置項目データがデータ処理装置３に呼び出される。次に、データ処理装置３は、安全処置項目データの情報を抽出し、作業管理タグ記録装置５に対して作業管理タグ７の印字要求を行なう。この際、データ処理装置３は、印字要求を行った安全処置データ項目について、データ記憶装置４に発行日データを記録する。
【００２８】
次に、作業管理タグ記録装置５は、予め準備されたブランクタグに安全処置項目データの情報を肉眼で視認できる態様で印字するとともに、これら安全処置項目データをブランクタグに磁気情報としても記録して作業管理タグ７を作成する。その後、このようにして作成された作業管理タグ７は、設備機器の安全処置を施す箇所に手作業で取り付けられる。
【００２９】
次に、設備機器の保守点検作業等を行なった後における本実施の形態の作用について説明する。
まず、保守点検作業等が完了した後、設備機器の安全処置を施す箇所に取り付けられた作業管理タグ７が全て手作業で回収される。
【００３０】
次に、回収された作業管理タグ７を作業管理タグ回収装置６に読み込ませる。作業管理タグ回収装置６は、作業管理タグ７の情報を読み取り、読み取った作業終了済データをデータ処理装置３に送信する。この際、作業管理タグ回収装置６は、作業管理タグ７の安全処置項目データの情報を消去する。
【００３１】
その後、データ処理装置３は、読み取られた作業終了済データとデータ記憶装置４に保存されている安全処置項目データとを照合し、未回収の作業管理タグ７を未回収リストとして出力する。
なお、作業管理タグ回収装置６は、回収された作業管理タグ７をブランクタグとして再生し、このブランクタグは、次回の保守点検作業において作業管理タグ７を作成する際に再利用される。
【００３２】
次に、設備機器の作業を管理する作業管理者と実際に作業を行なう作業担当者とが異なる場合における、本実施の形態の作用について、図１を用いて更に詳細に説明する。
設備機器の保守点検作業等を行う場合、作業担当者は保守点検作業の要領書を作業管理者へ提出する。作業管理者はこの要領書に基づいて、必要となる安全処置（機器の停止、電源ｏｆｆ等）を検討し、これら安全処置項目データからなるリスト（安全処置リスト）を作成する。
【００３３】
次に、この安全処置リストに記載された安全処置項目データを、作業管理者等がキーボード等のデータ入力装置２を用いてタグデータ処理装置３へ入力する。この際入力される安全処置項目データは、「系統名」、「機器名」、「作業許可番号」、「発行者」、「機器状態」、「作業期間」等のデータを含んでいる。
【００３４】
次に、作業管理者は、設備機器の作業を行なうための作業許可証を作成する。この作業許可証には作業許可番号が付与されており、一つの作業許可証により許可された作業に対して通常複数の安全処置、例えば電源ｏｆｆ等が施される。この安全処置は、作業管理者が行なう。なお、作業許可証の発行の際、作業管理者は、作業許可番号を指定してデータ処理装置３へ作業管理タグ７の発行要求を行う。この際、データ処理装置３は安全処置項目データの情報を抽出し、作業管理タグ記録装置５に対して作業管理タグ７の印字要求を行なう。データ処理装置３は、印字要求を行った安全処置データ項目について、データ記憶装置４に発行日データを自動で記録する。なお、一つの作業許可番号に含まれる全ての安全処置について一括して作業管理タグ７を作成することもでき、一つの安全処置毎に個別的に作業管理タグ７を作成することもできるようになっている。
【００３５】
次に、このようにして作成された作業管理タグ７はホルダ９内に入れられる。このホルダ９内に入れられた作業管理タグ７は、作業管理者が設備機器に安全処置を施した後で対象箇所に取り付けられる。例えば図１に示すように、ホルダ９に入れられた作業管理タグ７は、設備機器を停止した後に第三者が設備機器を誤って起動しないよう設備機器の操作スイッチ８等に取り付けられる。なお、ホルダ９はビニール等の透明かつ耐久性を有する材料からなり、作業管理タグ７が収まる形状となっており、上部に取り付けるための紐９ａが設けられている。
【００３６】
作業管理者は、このようにして全ての安全処置を講じた後、作業担当者に対して作業許可証を交付して作業の許可を行う。
【００３７】
次に、作業担当者は設備機器の保守点検作業等を行ない、保守点検作業等を完了させる。その後、作業担当者は作業が完了した旨を作業票に記載して作業管理者へ提出する。作業管理者は、この作業票の提出による完了報告を受けた後、上述した安全処置リストに基づいて、設備機器の安全処置を施した箇所を復旧する。この際、安全処置を施した箇所に取り付けられた作業管理タグ７を回収する。
【００３８】
作業管理者は、このようにして回収された作業管理タグ７をホルダ９から取り出し、作業管理タグ回収装置６に読み込ませる。作業管理タグ回収装置６は、作業管理タグ７に記録されている磁気情報を読み取り、読み取った作業終了済データをデータ処理装置３に送信する。この際、作業管理タグ回収装置６は、作業管理タグ７の他面に肉眼で視認できるように印字された安全処置項目データの情報を消去する。また、併せて作業管理タグ７に磁気情報として記録された安全処置項目データの情報を削除する。
【００３９】
その後、データ処理装置３は、回収された作業管理タグ７の作業終了済データに基づいて、作業終了済データをデータ記憶装置４に保存されている安全処置項目データと照合する。このようにデータ処理装置３は、どの作業管理タグ７が回収されたかを判定するとともに、未回収の作業管理タグ７を未回収リストとして出力する。作業管理者は、この未回収リストに基づいて、未回収の作業管理タグ７が取り付けられている設備機器を確認し、安全処置を解除するとともに未回収の作業管理タグ７を回収する。
【００４０】
このように、本実施の形態によれば、設備機器の保守点検作業毎に多数の作業管理タグ７を作成する作業、および回収した作業管理タグ７を確認する作業を自動化することができ、作業管理タグ７の作成および回収に要する手間およびコストを削減することができる。
【００４１】
また、本実施の形態によれば、作業管理タグ７がリライトカードからなり、作業管理タグ回収装置６が作業管理タグ７をブランクタグとして再生することにより、作業管理タグ７の再利用が可能となり、作業管理タグ７の材料費を削減することができる。
【００４２】
さらに、本実施の形態によれば、作業管理タグ７をホルダ９内に入れることにより、作業管理タグ７の汚損を防止することができる。
【００４３】
さらにまた、本実施の形態によれば、回収した作業管理タグ７内の情報は、作業終了済データとして自動的に読み取られるため、データ記憶装置４に保存されている安全処置項目データとの照合を行い、未回収の作業管理タグ７を高い精度で容易に確認することができる。これにより、安全処置の復旧漏れや作業管理タグ７の回収忘れを防止することができる。
【図面の簡単な説明】
【００４４】
【図１】本発明による作業管理システムの一実施の形態を示す概略図。
【図２】本発明による作業管理システムの作業管理タグを示す図。
【図３】従来の作業管理タグを示す図。
【符号の説明】
【００４５】
１    作業管理システム
２    データ入力装置
３    データ処理装置
４    データ記憶装置
５    作業管理タグ記録装置
６    作業管理タグ回収装置
７    作業管理タグ
８    操作スイッチ
９    ホルダ
【図１】
2007286665.tif 000003
【図２】
2007286665.tif 000004
【図３】
2007286665.tif 000005